(57)【特許請求の範囲】
【請求項１】
無線機の同調回路であって、
無線信号を入力する入力端子と、
ホワイトノイズを生成する信号発生器と、
入力信号について制御電圧に応じて特定の周波数を通過させて出力する電圧制御フィルタと、
前記入力端子に入力された無線信号又は前記信号発生器で生成されたホワイトノイズのいずれかを前記電圧制御フィルタの入力信号として入力させるよう切り替える第１のスイッチと、
前記特定の周波数に対応する粗調制御電圧値を記憶する記憶部と、
前記粗調制御電圧値をＤ／Ａ変換して粗調制御電圧を出力するＤ／Ａ変換器と、
前記粗調制御電圧を前記制御電圧として前記電圧制御フィルタに入力するか否かを切り替える第２のスイッチと、
前記電圧制御フィルタからの出力信号を中間周波数に変換する周波数変換部と、
前記周波数変換部からの出力信号を検波する検波器と、
前記検波器からの出力電圧の最大値を基準値として保持し、前記基準値に基づいて基準電圧を出力するピークホールド回路と、
前記検波器からの出力電圧と前記ピークホールド回路からの基準電圧とを入力して比較し、差分電圧を前記粗調制御電圧に相当する電圧に加算して精調制御電圧を出力する比較器と、
前記比較器から出力される前記精調制御電圧の値を保持し、前記値に基づく精調制御電圧を出力するホールド回路と、
前記電圧制御フィルタの制御電圧として、前記比較器からの精調制御電圧を入力するか、前記ホールド回路からの精調制御電圧を入力するか、あるいは双方を入力しないかを切り替える第３のスイッチと、を備え、
ホワイトノイズを用いた同調動作が開始されてから、前記検波器からの出力電圧の最大値が基準値として前記ピークホールド回路に保持されるまでの第１の特定期間は、前記第１のスイッチが、前記信号発生器で生成されたホワイトノイズを入力するよう切り替えられ、前記第２のスイッチが、前記電圧制御フィルタの制御電圧として前記Ｄ／Ａ変換器からの粗調制御電圧を入力するよう切り替えられ、前記第３のスイッチが、前記比較器からの精調制御電圧及び前記ホールド回路からの精調制御電圧の双方を入力しないよう切り替えられることを特徴とする無線機の同調回路。
【請求項２】
第１の特定期間の後、比較器において、検波器からの出力電圧とピークホールド回路からの基準電圧との差分電圧が安定するまでの第２の特定期間は、
第１のスイッチが、信号発生器で生成されたホワイトノイズを入力信号として電圧制御フィルタに入力するよう切り替えられ、第２のスイッチが、Ｄ／Ａ変換器からの粗調制御電圧を前記電圧制御フィルタに入力しないよう切り替えられ、第３のスイッチが、前記電圧制御フィルタの制御電圧として前記比較器からの精調制御電圧を入力するよう切り替えられることを特徴とする請求項１記載の同調回路。
【請求項３】
第２の特定期間の後、無線信号を入力して運用を行う期間は、
第１のスイッチが、入力端子からの無線信号を入力信号として電圧制御フィルタに入力するよう切り替えられ、第２のスイッチが、Ｄ／Ａ変換器からの粗調制御電圧を前記電圧制御フィルタに入力しないよう切り替えられ、第３のスイッチが、前記電圧制御フィルタの制御電圧としてホールド回路からの精調制御電圧を入力するよう切り替えられることを特徴とする請求項２記載の同調回路。
【発明の詳細な説明】
【技術分野】
【０００１】
本発明は、無線受信機における同調回路に係り、特に製造時に個体差に基づく個別の設定を不要とし、生産性を向上させ、良好な特性を維持することができる無線機の同調回路に関する。
【背景技術】
【０００２】
［先行技術の説明：図５］
従来の無線受信機における電圧制御周波数可変帯域通過フィルタ（ＶＣＦ；Voltage Controlled Filter）を用いた同調回路について図５を用いて説明する。図５は、従来の同調回路の概略回路図である。
図５に示すように、従来の同調回路は、入力端子３１と、出力端子３２と、ＶＣＦ３３と、ＲＯＭ（Read Only Memory）３４と、Ｄ／Ａ（Digital/Analog）変換器３５とを備えている。
【０００３】
従来の同調回路の各部について説明する。
入力端子３１は、無線信号を入力する。
出力端子３２は、ＶＣＦ３３を通過した無線信号を出力する。
ＶＣＦ３３は、制御電圧に応じて入力信号を帯域制限し、特定周波数の無線信号を通過させる。
ＲＯＭ３４は、通過させる周波数に対応する電圧データを外部から設定されたアドレスに記憶し、当該アドレスの電圧データを出力する。
Ｄ／Ａ変換器３５は、ＲＯＭ３４からの電圧データをＤ／Ａ変換して制御電圧を生成し、ＶＣＦ３３に出力する。
【０００４】
従来の同調回路の動作について説明する。
従来の同調回路では、ＲＯＭ３３から設定されたアドレスに対応する電圧データが出力される。
電圧データは、Ｄ／Ａ変換器３４でＤ／Ａ変換され、制御電圧としてＶＣＦ３３に出力される。ＶＣＦ３３は、制御電圧に応じた通過帯域で入力端子３１からの入力信号を帯域制限して、所望の周波数の無線信号を通過させ、出力端子３２に出力する。
このようにして、従来の同調回路の動作が行われる。
【０００５】
ここで、従来の同調回路のＶＣＦ３３に使用されるアナログ素子の容量可変ダイオードやインダクタには特性のバラツキがある。
そのため、同調回路の生産時には、個々のＶＣＦ３３の特性に応じて、所望の周波数に対応する制御電圧のデータを１台１台取得し、それぞれ個別に制御電圧のデータをＲＯＭ３４に書き込む必要がある。
【０００６】
また、従来の同調回路では、ＲＯＭ３４に書き込んだ制御電圧値を用いて制御電圧を生成するため、容量可変ダイオードやインダクタの温度特性や経年変化に応じて制御電圧を調整することはできず、フィルタ特性が変動する場合がある。
【０００７】
［関連技術］
尚、無線機の同調回路に関する技術としては、特開２００１−３６３８４号公報「可変同調フィルタ及びその調整方法及びそれを用いた受信装置及び送信装置」（松下電器産業株式会社、特許文献１）、特開２００７−１７４６４３号公報「ＹＩＧフィルタ同調システム」（アジレント・テクノロジーズ・インク、特許文献２）、特開２０１２−２０２７６０号公報「フィルタ校正装置及び校正方法」（アンリツ株式会社、特許文献３）がある。
【０００８】
特許文献１には、可変同調フィルタにおいて、同調周波数の変化に対応してＣＰＵが記憶手段に記憶された制御信号により帯域通過フィルタの中心周波数及び可変利得増幅器の利得を制御することが記載されている。
【０００９】
特許文献２には、ＹＩＧ（Yttrium Iron Garnet）フィルタ同調システムにおいて、フィルタの入力にノイズ源が結合されると、レシーバがフィルタの出力に結合され、フィルタの出力において、測定通過帯域内及びフィルタ通過帯域内の一連の測定値を取得することが記載されている。
【００１０】
特許文献３には、雑音発生器からの雑音がＹＩＧ同調フィルタ部を通過した信号を校正用信号として、校正用信号を解析して基準周波数信号とし、周波数信号と基準周波数信号とを比較して偏差量を算出し、当該偏差量を相殺するよう、可変同調フィルタの中心周波数を調整制御することが記載されている。
【先行技術文献】
【特許文献】
【００１１】
【特許文献１】特開２００１−３６３８４号公報
【特許文献２】特開２００７−１７４６４３号公報
【特許文献３】特開２０１２−２０２７６０号公報
【発明の概要】
【発明が解決しようとする課題】
【００１２】
上述したように、従来の同調回路では、ＶＣＦ内の部品の個体差を吸収するため、１台ずつ適切な制御電圧値を求めてＲＯＭに書き込みを行わなければならず、書き込み作業が煩雑であり、また、部品の温度特性や経年変化に対応してＶＣＦの制御電圧を調整することができないという問題点があった。
【００１３】
尚、特許文献１〜３には、ＶＣＦにホワイトノイズを入力し、粗調制御電圧を印加して、ＶＣＦ通過後の無線信号を中間周波数信号に変換して検波し、検波信号のピークを基準電圧として保持し、粗調制御電圧を断として、比較器で基準電圧と検波電圧とを比較して差分電圧を求め、差分電圧を粗調制御電圧に加算した電圧を精調制御電圧として生成することは記載されていない。
【００１４】
本発明は上記実状に鑑みて為されたもので、個体差に基づいて１台毎に制御電圧値を書き込む作業を不要として生産効率を向上させると共に、部品の温度特性や経年変化に対応して制御電圧を調整でき、良好な特性を維持することができる無線機の同調回路を提供することを目的とする。
【課題を解決するための手段】
【００１５】
上記従来例の問題点を解決するための本発明は、無線機の同調回路であって、無線信号を入力する入力端子と、ホワイトノイズを生成する信号発生器と、入力信号について制御電圧に応じて特定の周波数を通過させて出力する電圧制御フィルタと、入力端子に入力された無線信号又は信号発生器で生成されたホワイトノイズのいずれかを電圧制御フィルタの入力信号として入力させるよう切り替える第１のスイッチと、特定の周波数に対応する粗調制御電圧値を記憶する記憶部と、粗調制御電圧値をＤ／Ａ変換して粗調制御電圧を出力するＤ／Ａ変換器と、粗調制御電圧を制御電圧として電圧制御フィルタに入力するか否かを切り替える第２のスイッチと、電圧制御フィルタからの出力信号を中間周波数に変換する周波数変換部と、周波数変換部からの出力信号を検波する検波器と、検波器からの出力電圧の最大値を基準値として保持し、基準値に基づいて基準電圧を出力するピークホールド回路と、検波器からの出力電圧とピークホールド回路からの基準電圧とを入力して比較し、差分電圧を粗調制御電圧に相当する電圧に加算して精調制御電圧を出力する比較器と、比較器から出力される精調制御電圧の値を保持し、当該値に基づく精調制御電圧を出力するホールド回路と、電圧制御フィルタの制御電圧として、比較器からの精調制御電圧を入力するか、ホールド回路からの精調制御電圧を入力するか、あるいは双方を入力しないかを切り替える第３のスイッチと、を備え、ホワイトノイズを用いた同調動作が開始されてから、検波器からの出力電圧の最大値が基準値としてピークホールド回路に保持されるまでの第１の特定期間は、第１のスイッチが、信号発生器で生成されたホワイトノイズを入力するよう切り替えられ、第２のスイッチが、電圧制御フィルタの制御電圧としてＤ／Ａ変換器からの粗調制御電圧を入力するよう切り替えられ、第３のスイッチが、比較器からの精調制御電圧及びホールド回路からの精調制御電圧の双方を入力しないよう切り替えられることを特徴としている。
【００１７】
また、本発明は、上記同調回路において、第１の特定期間の後、比較器において、検波器からの出力電圧とピークホールド回路からの基準電圧との差分電圧が安定するまでの第２の特定期間は、第１のスイッチが、信号発生器で生成されたホワイトノイズを入力信号として電圧制御フィルタに入力するよう切り替えられ、第２のスイッチが、Ｄ／Ａ変換器からの粗調制御電圧を前記電圧制御フィルタに入力しないよう切り替えられ、第３のスイッチが、前記電圧制御フィルタの制御電圧として比較器からの精調制御電圧を入力するよう切り替えられることを特徴としている。
【００１８】
また、本発明は、上記同調回路において、第２の特定期間の後、無線信号を入力して運用を行う期間は、第１のスイッチが、入力端子からの無線信号を入力信号として電圧制御フィルタに入力するよう切り替えられ、第２のスイッチが、Ｄ／Ａ変換器からの粗調制御電圧を前記電圧制御フィルタに入力しないよう切り替えられ、第３のスイッチが、電圧制御フィルタの制御電圧としてホールド回路からの精調制御電圧を入力するよう切り替えられることを特徴としている。
【発明の効果】
【００１９】
本発明によれば、無線信号を入力する入力端子と、ホワイトノイズを生成する信号発生器と、入力信号について制御電圧に応じて特定の周波数を通過させて出力する電圧制御フィルタと、入力端子に入力された無線信号又は信号発生器で生成されたホワイトノイズのいずれかを電圧制御フィルタの入力信号として入力させるよう切り替える第１のスイッチと、特定の周波数に対応する粗調制御電圧値を記憶する記憶部と、粗調制御電圧値をＤ／Ａ変換して粗調制御電圧を出力するＤ／Ａ変換器と、粗調制御電圧を制御電圧として電圧制御フィルタに入力するか否かを切り替える第２のスイッチと、電圧制御フィルタからの出力信号を中間周波数に変換する周波数変換部と、周波数変換部からの出力信号を検波する検波器と、検波器からの出力電圧の最大値を基準値として保持し、基準値に基づいて基準電圧を出力するピークホールド回路と、検波器からの出力電圧とピークホールド回路からの基準電圧とを入力して比較し、差分電圧を粗調制御電圧に相当する電圧に加算して精調制御電圧を出力する比較器と、比較器から出力される精調制御電圧の値を保持し、当該値に基づく精調制御電圧を出力するホールド回路と、電圧制御フィルタの制御電圧として、比較器からの精調制御電圧を入力するか、ホールド回路からの精調制御電圧を入力するか、あるいは双方を入力しないかを切り替える第３のスイッチと、を備え、ホワイトノイズを用いた同調動作が開始されてから、検波器からの出力電圧の最大値が基準値としてピークホールド回路に保持されるまでの第１の特定期間は、第１のスイッチが、信号発生器で生成されたホワイトノイズを入力するよう切り替えられ、第２のスイッチが、電圧制御フィルタの制御電圧としてＤ／Ａ変換器からの粗調制御電圧を入力するよう切り替えられ、第３のスイッチが、比較器からの精調制御電圧及びホールド回路からの精調制御電圧の双方を入力しないよう切り替えられる無線機の同調回路としているので、デフォルトである粗調制御電圧を個体差に応じて精度よく調整した精調制御電圧を生成して、電圧制御フィルタに入力することができ、記憶部に、フィルタの個体差に応じた個別の制御電圧値を書き込む作業を不要とし、生産性を向上させると共に、環境変化や経年変化があってもその時点での最適な精調制御電圧を生成して、良好な特性を維持することができ、検波器出力の特性に基づいて、電圧制御フィルタを最適に動作させる基準電圧を生成できる効果がある。
【００２１】
また、本発明によれば、第１の特定期間の後、比較器において、検波器からの出力電圧とピークホールド回路からの基準電圧との差分電圧が安定するまでの第２の特定期間は、第１のスイッチが、信号発生器で生成されたホワイトノイズを入力信号として電圧制御フィルタに入力するよう切り替えられ、第２のスイッチが、Ｄ／Ａ変換器からの粗調制御電圧を前記電圧制御フィルタに入力しないよう切り替えられ、第３のスイッチが、前記電圧制御フィルタの制御電圧として比較器からの精調制御電圧を入力するよう切り替えられる上記同調回路としているので、デフォルトである粗調制御電圧を電圧制御フィルタの個体差に応じて調整した精調制御電圧を生成できる効果がある。
【００２２】
また、本発明によれば、第２の特定期間の後、無線信号を入力して運用を行う期間は、第１のスイッチが、入力端子からの無線信号を入力信号として電圧制御フィルタに入力するよう切り替えられ、第２のスイッチが、Ｄ／Ａ変換器からの粗調制御電圧を前記電圧制御フィルタに入力しないよう切り替えられ、第３のスイッチが、電圧制御フィルタの制御電圧としてホールド回路からの精調制御電圧を入力するよう切り替えられる上記同調回路としているので、運用時には、ホールド回路からの精調制御電圧を電圧制御フィルタに入力して動作させることで、所望の周波数を通過させることができる効果がある。
【図面の簡単な説明】
【００２３】
【図１】本発明の実施の形態に係る同調回路の概略回路図である。
【図２】本同調回路における基準値取得時の状態を示す概略回路図である。
【図３】本同調回路における精調制御電圧生成時の状態を示す概略回路図である。
【図４】本同調回路における運用時の状態を示す概略回路図である。
【図５】従来の同調回路の概略回路図である。
【発明を実施するための形態】
【００２４】
本発明の実施の形態について図面を参照しながら説明する。
［実施の形態の概要］
本発明の実施の形態に係る無線機の同調回路は、粗調制御電圧値が書き込まれたＲＯＭを備え、同調時には、まず、ＶＣＦに粗調制御電圧を印加すると共に、入力信号の代わりに信号発生器からのホワイトノイズを入力し、出力信号をダウンコンバートして検波器で検波して、ピークホールド回路で検波信号のピーク電圧を検出して保持しておき、次に、粗調制御電圧を断として、比較器が、検波器からの検波信号とピークホールド回路からのピーク電圧とを入力してその差分電圧を粗調制御電圧と同等の電圧に加算して精調制御電圧として出力し、精調制御電圧をＶＣＦに入力すると共に、ホールド回路に保持しておき、運用時には、ホワイトノイズの代わりに入力信号をＶＣＦに入力し、ホールド回路からの精調制御電圧を制御電圧として印加して動作させるものであり、部品のばらつきを吸収するようデフォルトの粗調制御電圧を調整して、各々の同調回路に最適な精調制御電圧を生成でき、１台毎に制御電圧値を書き込む作業を不要とすると共に、使用環境の温度や経年変化に応じて適宜同調動作を行わせることで、常に最適な制御電圧をＶＣＦに与えることができるものである。
【００２５】
［実施の形態に係る同調回路：図１］
本発明の実施の形態に係る無線機の同調回路について図１を用いて説明する。図１は、本発明の実施の形態に係る同調回路の概略回路図である。
図１に示すように、本発明の実施の形態に係る同調回路（本同調回路）は、入力端子１１と、出力端子１２と、電圧制御周波数可変帯域通過フィルタ（ＶＣＦ）１３と、ＲＯＭ１４と、Ｄ／Ａ変換器１５と、信号発生器１６と、局部発振器１７と、ミキサ１８と、ＩＦ（Intermediate Frequency）フィルタ１９と、検波器２０と、ピークホールド回路２１と、比較器２２と、ホールド回路２３と、制御電圧入力端子２４と、精調制御電圧入力端子２５と、スイッチ（ＳＷ）１、ＳＷ２、ＳＷ３、ＳＷ４、ＳＷ５とを備えている。
【００２６】
尚、請求項に記載した第１のスイッチはＳＷ１に相当し、第２のスイッチはＳＷ２に相当し、第３のスイッチは、ＳＷ３〜ＳＷ５の機能を合わせたものである。
また、請求項に記載した周波数変換部は、局部発振器１７と、ミキサ１８と、ＩＦフィルタ１９の機能を合わせたものである。
【００２７】
本同調回路の各部について説明する。
入力端子１１は、無線信号を入力する。
出力端子１２は、ＶＣＦ１３を通過してダウンコンバートされた中間周波数信号を出力する。尚、図４に示した従来の同調回路の出力端子と同等の信号を得る場合には、出力端子１２の出力段に、無線周波数信号に変換する周波数変換部（アップコンバート部）を設ければよい。
ＶＣＦ１３は、従来と同様に、制御電圧に応じて入力信号を帯域制限し、特定周波数の無線信号を通過させる。
【００２８】
信号発生器１６は、入力周波数帯域のホワイトノイズを発生する。ホワイトノイズは、無線受信機の受信周波数範囲において一様な周波数分布特性をもつ雑音である。
ＳＷ１は、ＶＣＦ１３への入力信号を、入力端子１からの入力信号又は信号発生器１６からのホワイトノイズのいずれかに切り替える。
【００２９】
ＲＯＭ１４は、特定のアドレスに、周波数に対応する電圧データを記憶し、設定されたアドレスに対応する電圧データを出力する。尚、アドレス（周波数）とそれに対応する電圧データの組を複数記憶し、外部から設定されたアドレスに対応する電圧データを出力するようにしてもよい。
【００３０】
本同調回路の特徴として、記憶された電圧データはデフォルトの値（粗調制御電圧データ）であり、個々の装置の特性に応じて異なる値が書き込まれているものではない。つまり、本同調回路では、ＲＯＭ１４に対して、個別の制御電圧値の書き込みは行われない。
このように、共通のＲＯＭ１４を用いることにより、書き込み作業を不要として生産性を向上させることができるものである。
【００３１】
Ｄ／Ａ変換器１５は、ＲＯＭ１４からの粗調制御電圧データをＤ／Ａ変換して、アナログ電圧としての粗調制御電圧を生成し、出力する。
ＳＷ２は、Ｄ／Ａ変換器１５からの粗調制御電圧をＶＣＦ１３の制御電圧入力端子２４に入力するか否か、つまり粗調制御電圧の入力／断（非入力）を切り替える。
制御電圧入力端子２４は、ＶＣＦ１３に対する制御電圧を入力する端子である。
【００３２】
局部発振器１７は、ＶＣＦ１３から出力される高周波信号を所望の中間周波数に変換するためのローカル周波数信号（ＬＯ信号）を生成する。
ミキサ１８は、ＶＣＦ１３を通過した高周波信号と、局部発振器１７からのローカル周波数信号とを乗算して、中間周波数（ＩＦ；Intermediate Frequency）信号を生成する。
ＩＦフィルタ１９は、ミキサから出力されたＩＦ信号を帯域制限し、不要な周波数成分を除去する。
【００３３】
検波器２０、ピークホールド回路２１、比較器２２、ホールド回路２３は、精調制御電圧を生成する部分であり、本同調回路の特徴部分となっている。
検波器２０は、ＩＦフィルタ１９から出力され、分岐されたＩＦ信号を検波して、検波レベルに相当する電圧を出力する。
ピークホールド回路２１は、検波器２０からの出力信号（検波信号）を入力して、電圧値を求め、一定期間における電圧値の最大値を基準値として保持する。
尚、ピークホールド回路２１は、入力部分にＡ／Ｄ変換部、出力部分にＤ／Ａ変換部を備えており、回路内部ではディジタル処理を行って基準値を求め、出力時には基準値をＤ／Ａ変換して基準電圧を出力する。
【００３４】
比較器２２は、検波器２０からの検波信号とピークホールド回路２１からの基準電圧とを入力して両者を比較し、差分電圧を求める。そして、当該差分電圧を、Ｄ／Ａ変換器１５から出力される粗調制御電圧と同等の電圧に加算した電圧（精調制御電圧）を出力する。
【００３５】
ホールド回路２３は、比較器２２から出力される精調制御電圧の値を保持する。尚、ホールド回路２３もピークホールド回路２１と同様に、入力段にＡ／Ｄ変換器、出力段にＤ／Ａ変換器を備えている。
【００３６】
精調制御電圧出力端子２５は、比較器２２又はホールド回路２３からの精調制御電圧を出力する端子である。
ＳＷ３は、精調制御電圧出力端子２５の出力を、ＶＣＦ１３の制御電圧入力端子２４に接続するか否か、つまり精調制御電圧のＶＣＦ１３への入力／断を切り替える。
ＳＷ４は、比較器２２からの精調制御電圧の精調制御電圧出力端子２５への入力／断を切り替える。
ＳＷ５は、ホールド回路２３からの精調制御電圧の精調制御電圧出力端子２５への入力／断を切り替える。
【００３７】
尚、本同調回路では、制御電圧入力端子２４への精調制御電圧の入力／断を切り替えるために、ＳＷ３〜５の３つのスイッチを用いているが、これらの代わりに１つの切り替えスイッチを用いてもよい。
この場合、切り替えスイッチは、ＶＣＦ１３の制御電圧として、比較器２２からの精調制御電圧を入力するか、ホールド回路２３からの精調制御電圧を入力するか、又はいずれも入力しない、という３つの状態を切り替える。
つまり、切り替えスイッチは、ＶＣＦ１３の制御電圧入力端子２４を、比較器２２の出力に接続するか、ホールド回路２３の出力に接続するか、あるいは双方に接続しない、という状態を切り替えるものである。
請求項における第３のスイッチは、このような切り替えスイッチに相当している。
【００３８】
［本同調回路における動作］
本同調回路における動作について図２〜４を用いて説明する。
本同調回路では、基準値取得、精調制御電圧生成、運用の３種類の動作が行われる。各動作では、スイッチの開閉の状態が異なっている。尚、基準値取得と精調制御電圧生成の動作を合わせて同調動作と呼ぶものとする。
［基準値取得時：図２］
まず、基準値取得時の動作について図２を用いて説明する。図２は、本同調回路における基準値取得時の状態を示す概略回路図である。
図２に示すように、基準値取得時は、ＳＷ１は信号発生器１６側に切り替えられ、ＳＷ２は接続、ＳＷ３は断となっている。
【００３９】
同調動作が開始されると、ＳＷ１が信号発生器１６側に切り替えられ、ＶＣＦ１３には、所望の周波数帯域を含むホワイトノイズが入力され、また、ＳＷ２が接続され、制御電圧としてＤ／Ａ変換器１５からの粗調制御電圧が入力される。
ＶＣＦ１３は、粗調制御電圧に基づいてホワイトノイズを帯域制限し、設定周波数付近の周波数帯域の無線信号を通過させる。
【００４０】
ＶＣＦ１３を通過した無線信号は、ミキサ１８で局部発振器１７からのローカル信号と乗算され、中間周波数信号に変換される。
ここで、ローカル信号の周波数は、ＶＣＦ１３が通過させるべき設定周波数と乗算されて特定の中間周波数信号が得られる周波数となっている。
中間周波数信号は、ＩＦフィルタ１９で不要波が除去され、特定の中間周波数信号となる。
【００４１】
ＩＦフィルタ１９の出力は、分岐されて検波器２０に入力され、検波される。
検波器２０の出力は、分岐され、一方は比較器２２に入力され、他方はピークホールド回路２１に入力される。
ピークホールド回路２１では、検波器２０から入力された電圧値を検出して最大値を保持し、入力された電圧値がそれまでの最大値より大きければ、最大値を入力された電圧値で更新して保持する。
この状態を特定期間続けることで、ピークホールド回路２１には、当該期間内の検波出力の最大値が基準値として保持される。
ピークホールド回路２１からは、基準値に基づいて基準電圧が出力される。
【００４２】
ここで、ＩＦフィルタ１９の出力信号（ＩＦ信号）の電圧レベルは、ＶＣＦ１３の通過特性が設定周波数に一致している場合に最大となる。
つまり、ＶＣＦ１３の通過特性が最適となっている場合に、ＩＦ信号の肩特性が最も良好と（帯域が広く電圧レベルが大きく）なり、検波器２０の出力レベルが最大（ピーク）となるものである。
本同調回路では、このことを利用して、ＶＣＦ１３に所望の周波数信号を通過させる最適な制御電圧を得るものである。
このようにして、本同調回路における基準値取得の動作が行われる。
【００４３】
［精調制御電圧生成時：図３］
次に、精調制御電圧生成時の動作について図３を用いて説明する。図３は、本同調回路における精調制御電圧生成時の状態を示す概略回路図である。
ピークホールド回路２１に基準値が保持された後、図３に示すように、ＳＷ１は信号発生器１６側に切り替えられ、ＳＷ２は断、ＳＷ３は接続、ＳＷ４は接続、ＳＷ５は断とされて、精調制御電圧生成の動作となる。
【００４４】
精調制御電圧生成時には、Ｄ／Ａ変換器１５からの粗調制御電圧は断となっている。
そして、比較器２２に検波器２０からの出力と、ピークホールド回路２１からの出力（基準電圧）が入力され、比較器２２においてそれらの差分電圧が求められる。
差分電圧は、最も良好な状態における検波出力と、各時点の検波出力との差分電圧である。
【００４５】
そして、当該差分電圧をＤ／Ａ変換器１５からの粗調制御電圧と同等の電圧に加算した精調制御電圧が比較器２２から出力され、ＳＷ４及びＳＷ３を介してＶＣＦ１３に制御電圧として印加される。
それと共に、ホールド回路２３に比較器２２からの精調制御電圧の値が保持される。
【００４６】
図３の状態で特定期間動作させることにより、差分電圧が安定し、当該同調回路のＶＣＦ１３への最適な制御電圧が精調制御電圧の値としてホールド回路２３に保持されるものである。
精調制御電圧は、粗調制御電圧に対して、当該同調回路の個々の部品のバラつきを補償するよう調整された制御電圧となっている。
このようにして、本同調回路における精調制御電圧生成時の動作が行われる。
【００４７】
［運用時：図４］
次に、運用時の動作について図４を用いて説明する。図４は、本同調回路における運用時の状態を示す概略回路図である。
図４に示すように、運用時には、ＳＷ１は入力端子１１側に切り替えられ、ＳＷ２は断、ＳＷ３は接続、ＳＷ４は断、ＳＷ５は接続とする。
そして、ホールド回路２４に記憶された精調制御電圧値に基づく精調制御電圧が、ＳＷ５，ＳＷ３を介して、制御電圧入力端子２４からＶＣＦ１３に印加され、ＶＣＦ１３は、精調制御電圧に基づいて入力端子からの入力信号を帯域制限して、所望の設定周波数を精度よく通過させる。
【００４８】
このように、本同調回路では、個々の回路に対して個別に制御電圧値を書き込む作業を不要とし、自律的に精度よく同調させることができ、生産性を向上させることができるものである。
【００４９】
また、予めＲＯＭ１４に周波数とそれに対応する粗調制御電圧データの組を複数記憶しておくことにより、通過周波数が変更になった場合に、使用する周波数に対応するアドレスを外部から設定して同調動作を行えば、ＶＣＦ１３を変更後の周波数に同調させることができ、無線機の使用周波数を容易に変更することができるものである。
【００５０】
更に、温度特性や経年変化に対応するために、例えば、設置環境が変わった場合や運用開始後一定期間毎に同調動作を行うことにより、温度特性や経年変化を含めた、そのときの装置の状態に応じた最適な精調制御電圧を生成することができ、安定した特性を得ることができるものである。
【００５１】
更に、別の構成として、制御電圧入力端子２４の代わりに加算器を設け、当該加算器でＤ／Ａ変換器１５からの粗調制御電圧に、精調制御電圧出力端子２５からの出力を加算して、ＶＣＦ１３に出力するようにしてもよい。この場合、比較器２２は、ピークホールド回路２１からの基準電圧と、検波器２０からの出力との差分電圧を出力する。
加算器からの出力は、差分電圧の符号に応じて、粗調制御電圧に対して差分電圧が加算又は減算された電圧となる。
また、この場合、ＳＷ２が不要となると共に、比較器２２も単に差分を出力する簡易なものとすることができるものである。
【００５２】
［実施の形態の効果］
本発明の実施の形態に係る同調回路によれば、基準値取得時には、ＶＣＦ１３にホワイトノイズを入力すると共にＲＯＭ１４に記憶された粗調制御電圧値に基づく粗調制御電圧を入力し、ＶＣＦ１３の出力をＩＦ周波数に変換後、検波器２０で検波して、ピークホールド回路２２でピーク電圧を基準値として保持し、精調制御電圧生成時には、粗調制御電圧を断として、比較器２２で検波器２０の出力とピークホールド回路２１からの基準電圧との差分を求め、当該差分を粗調制御電圧と同等の電圧に加算した精調制御電圧を生成して出力し、それと共にホールド回路２３で精調制御電圧を保持しておき、運用時には、ホワイトノイズを断として入力信号を入力し、ホールド回路２３からの精調制御電圧をＶＣＦ１３の制御電圧として運用するようにしているので、共通の粗調電圧値が書き込まれたＲＯＭ１４を用いながら、ＶＣＦ１３の部品のバラツキを吸収して、個々のＶＣＦ１３にとって最適なフィルタ特性が得られる制御電圧を精調制御電圧として生成することができ、個別にＲＯＭに制御電圧を書き込む作業を不要として、生産性を向上させることができる効果がある。
【００５３】
また、周波数変更時には、ＲＯＭ１４に対して変更後の周波数に対応したアドレスを指定して、同調動作を行わせることにより、ＶＣＦ１３を変更後の周波数に同調させ、容易に周波数変更に対応することができる効果がある。
【００５４】
また、運用開始後であっても、環境変化や経年変化があった場合に、再度同調動作を行うことにより、その時点の状態において最適な精調制御電圧を生成することができ、良好な特性を維持することができる効果がある。
【産業上の利用可能性】
【００５５】
本発明は、生産性を向上させ、良好な特性を維持することができる無線機の同調回路に適している。
【符号の説明】
【００５６】
１１，３１...入力端子、  １２，３２...出力端子、  １３，３３...電圧制御周波数可変帯域通過フィルタ（ＶＣＦ）、  １４，３４...ＲＯＭ、  １５，３５...Ｄ／Ａ変換器、  １６...信号発生器、  １７...局部発振器、  １８...ミキサ、  １９...ＩＦフィルタ、  ２０...検波器、  ２１...ピークホールド回路、  ２２...比較器、  ２３...ホールド回路、  ２４...制御電圧入力端子、  ２５...精調制御電圧出力端子
【図１】
0006449683.tif 000002
【図２】
0006449683.tif 000003
【図３】
0006449683.tif 000004
【図４】
0006449683.tif 000005
【図５】
0006449683.tif 000006